(57)【要約】【課題】配線・配管材を結束後に生じるバンドの余長の垂れ下がりにより見栄えが低下するのを防止する。【解決手段】天井壁面７０への固定部２０と、ケーブル６０を載置する載置面３２が形成された支持腕３０と、からなる本体と、ケーブル６０を取り囲む帯板状のバンド部５０と、を備えた。支持腕３０には、バンド部５０が挿通される挿通空間３９及びバンド部５０の被係止部５３に係止してバンド部５０が抜け出すのを規制する係止爪４２と、挿通空間３９を通過したバンド部５０の先端側が掛け止めされる被掛止部４５と、を設け、バンド部５０の先端側には、被掛止部４５に掛け止め可能な掛止部５４を設けた。これにより、結束後のバンド部５０の掛止部５４が支持腕３０の被掛止部４５に掛け止めされ、結束後のバンド部５０の余長５５が下方に垂れ下がるのが防止され、見栄えが向上する。【選択図】図５
2020101240.tif 000002
【特許請求の範囲】
【請求項１】
構造物への固定部と、該固定部から延設され、上面側に配線・配管材を載置する載置面が形成された、前記配線・配管材を下方から支持する支持腕と、からなる本体と、
前記本体から延設され、前記支持腕に載置された前記配線・配管材を該支持腕とともに取り囲む帯板状のバンド部と、
を有する配線・配管材支持具であって、
前記本体には、前記バンド部が挿通される挿通空間及び挿通された該バンド部の外面に形成された被係止部に係止して該バンド部がその基端側に抜け出すのを規制する係止爪と、前記支持腕上の前記配線・配管材を取り囲むとともに前記挿通空間を通過した前記バンド部の先端側が掛け止めされる被掛止部と、が設けられ、
前記バンド部の先端側に、前記被掛止部に掛け止め可能な掛止部が設けられていることを特徴とする配線・配管材支持具。
【請求項２】
前記本体の被掛止部は、前記支持腕における反載置面側に形成されていることを特徴とする請求項１に記載の配線・配管材支持具。
【請求項３】
前記支持腕には、反載置面方向に向けて立設する補強壁部が設けられ、
前記被掛止部は、前記補強壁部の先端縁に凹設形成されていることを特徴とする請求項１または請求項２に記載の配線・配管材支持具。
【請求項４】
前記バンド部の掛止部は該バンド部の幅方向両側に突出した一対の棒状部で形成されて、該バンド部の先端はＴ字状を成し、
前記補強壁部は、前記バンド部の幅より大きい間隔をあけて一対設けられ、前記各補強壁部に、前記バンド部の掛止部の一対の棒状部がそれぞれ嵌着可能な前記被掛止部が設けられていることを特徴とする請求項３に記載の配線・配管材支持具。
【請求項５】
前記本体の被掛止部は、前記バンド部における前記本体の挿通空間から突出した先端側の長さに応じて掛け止め位置を変更できるように複数設けられていることを特徴とする請求項１乃至請求項４のいずれかに記載の配線・配管材支持具。
【請求項６】
前記バンド部は、前記本体の固定部側を基端として延設され、
前記本体の挿通空間は、前記支持腕の先端側に設けられていることを特徴とする請求項１乃至請求項５のいずれかに記載の配線・配管材支持具。
【請求項７】
前記バンド部の被係止部は、前記支持腕の載置面と対面する側と反対側の面に形成されていることを特徴とする請求項１乃至請求項６のいずれかに記載の配線・配管材支持具。
【請求項８】
前記本体の固定部は、天井壁面にビスあるいは鋲で固定可能であり、
前記支持腕の先端は、固定した前記天井壁面との間に前記配線・配管材を通過可能とする隙間を形成した立ち壁を備え、
前記本体の係止爪は、前記立ち壁の基端側に設けられ、
前記バンド部は、自然状態で、前記天井壁面に沿うとともに前記基端から前記立ち壁の先端を越える長さに形成されていることを特徴とする請求項１乃至請求項７のいずれかに記載の配線・配管材支持具。
【発明の詳細な説明】
【技術分野】
【０００１】
本発明は、天井等の壁面や吊りボルトなどの構造物に固定されて配線・配管材を支持する配線・配管材支持具に関するものである。
【背景技術】
【０００２】
ケーブルや配水管等の配線・配管材は、建物の壁面や天井から吊り下げられた吊りボルト等の構造物に支持具を固定し、この支持具に支持されることにより配線、配管されている。この種の支持具として、例えば特許文献１、２に記載のものが知られている。これらの支持具は、構造物に固定される固定部と配線・配管材を支持する本体とを備え、本体に一体または別体に設けた結束部あるいは結束部材としての帯板状のバンドで配線・配管材を包囲結束することにより配線・配管材を支持している。ここで、バンドは、基端が本体に設けられていて、配線・配管材を包囲した後、先端が本体の挿通部内に挿通され係止されることにより配線・配管材を結束している。
【先行技術文献】
【特許文献】
【０００３】
【特許文献１】特開２０１０−６００８６号公報
【特許文献２】特開２０１６−５２２１１号公報
【発明の概要】
【発明が解決しようとする課題】
【０００４】
しかし、バンドは、配線・配管材を結束後に先端側に余長が生じるが、従来の支持具は、結束後のバンドの余長はそのまま垂直下方に垂れ下がった状態におかれる。このため、配線・配管材の支持箇所において見栄えが良くなかった。特に、バンドは、通常、結束時の作業性や支持される配線・配管材の数に余裕をもたせて長さを設定するから、結束後、相当長さの余長が生じるため、見栄えを著しく損ねることも多かった。
【０００５】
そこで、本発明は、配線・配管材を結束後に生じるバンドの余長の垂れ下がりにより見栄えが低下するのを防止できる配線・配管材支持具の提供を課題とするものである。
【課題を解決するための手段】
【０００６】
請求項１の配線・配管材支持具は、構造物への固定部と、該固定部から延設され、上面側に配線・配管材を載置する載置面が形成された、前記配線・配管材を下方から支持する支持腕と、からなる本体と、前記本体から延設され、前記支持腕に載置された前記配線・配管材を該支持腕とともに取り囲む帯板状のバンド部と、を有するものであって、前記本体には、前記バンド部が挿通される挿通空間及び挿通された該バンド部の外面に形成された被係止部に係止して該バンド部がその基端側に抜け出すのを規制する係止爪と、前記支持腕上の前記配線・配管材を取り囲むとともに前記挿通空間を通過した前記バンド部の先端側が掛け止めされる被掛止部と、が設けられ、前記バンド部の先端側に、前記被掛止部に掛け止め可能な掛止部が設けられている。
【０００７】
請求項２の配線・配管材支持具は、特に、前記本体の被掛止部が、前記支持腕における反載置面側に形成されている。
請求項３の配線・配管材支持具は、特に、前記支持腕に、反載置面方向に向けて立設する補強壁部が設けられ、前記被掛止部は、前記補強壁部の先端縁に凹設形成されている。
請求項４の配線・配管材支持具は、特に、前記バンド部の掛止部は該バンド部の幅方向両側に突出した一対の棒状部で形成されて、該バンド部の先端はＴ字状を成し、前記補強壁部は、前記バンド部の幅より大きい間隔をあけて一対設けられ、前記各補強壁部に、前記バンド部の掛止部の一対の棒状部がそれぞれ嵌着可能な前記被掛止部が設けられている。
請求項５の配線・配管材支持具は、特に、前記本体の被掛止部が、前記バンド部における前記本体の挿通空間から突出した先端側の長さに応じて掛け止め位置を変更できるように複数設けられている。
【０００８】
請求項６の配線・配管材支持具は、特に、前記バンド部が、前記本体の固定部側を基端として延設され、前記本体の挿通空間は、前記支持腕の先端側に設けられている。
請求項７の配線・配管材支持具は、特に、前記バンド部の被係止部は、前記支持腕の載置面と対面する側と反対側の面に形成されている。
請求項８の配線・配管材支持具は、特に、前記本体の固定部は、天井壁面にビスあるいは鋲で固定可能であり、前記支持腕の先端は、固定した前記天井壁面との間に前記配線・配管材を通過可能とする隙間を形成した立ち壁を備え、前記本体の係止爪は、前記立ち壁の基端側に設けられ、前記バンド部は、自然状態で、前記天井壁面に沿うとともに前記基端から前記立ち壁の先端を越える長さに形成されている。
【発明の効果】
【０００９】
請求項１の発明は、支持腕上の配線・配管材を取り囲むとともに挿通空間を通過したバンド部の先端側の掛止部は本体の被掛止部に掛け止めされるので、配線・配管材を結束後のバンド部の余長が下方に垂れ下がるのが防止され、配線・配管材の支持箇所における見栄えが向上する。
【００１０】
請求項２の発明は、本体の被掛止部が、支持腕における反載置面側に形成されているので、配線・配管材の載置の邪魔になるのが防止される。
請求項３の発明は、支持腕に補強壁部が設けられ、被掛止部は、補強壁部の先端縁に凹設形成されているから、支持腕を補強できるとともに、バンド部の掛止部を掛け止めることもできる。
請求項４の発明は、バンド部の掛止部は、バンド部の幅方向両側に突出した一対の棒状部で形成されてバンド部の先端がＴ字状を成すので、バンド部を補強壁部間によじれることなく配置可能であるとともに、掛止部を被掛止部に整然と安定して掛け止めることができる。
請求項５の発明は、被掛止部が複数設けられているので、掛止部をバンド部の余長に応じて選択して被掛止部に掛け止めすることができる。
【００１１】
請求項６の発明は、バンド部は、本体の固定部側を基端として延設され、本体の挿通空間は、支持腕の先端側に設けられているので、バンド部が長くても支持腕は一定長さのものとすることができ、本体を小型化できる。また、支持具を天井壁面に固定する場合に、固定部が邪魔にならず配線・配管材をバンド部の長手方向に挿入して支持腕上に容易に配置収容することができる。
請求項７の発明は、バンド部の被係止部が、支持腕の載置面と対面する側と反対側の面に形成されているので、本体の係止爪が前述の立ち壁の基端に設けられている場合には、バンド部は、配線・配管材を包囲するように屈曲して掛け止めされることにより生じる弾性的な反力により、係止爪に押し付けられ、緩まない。
請求項８の発明は、バンド部が天井壁面に沿うとともに基端側から立ち壁の先端を越える長さに形成されているので、配線・配管材を立ち壁と天井壁面との隙間を通過させて支持腕上に載置し収容する際に、バンド部が隙間に介在することから、配線・配管材が直接天井壁面と当接するのが回避され、配線・配管材が天井壁面に擦れて傷付くのが防止される。
【図面の簡単な説明】
【００１２】
【図１】本発明の実施形態の配線・配管材支持具を示し、(a)は斜め上方から見た斜視図、(b)は斜め下方から見た斜視図である。
【図２】図１の配線・配管材支持具を背面側から見た斜視図である。
【図３】図１の配線・配管材支持具を示し、(a)は平面図、(b)は正面図、(c)は右側面図、(d)は底面図である。
【図４】図３(a)のＡ−Ａ切断線による断面図である。
【図５】図１の配線・配管材支持具を天井壁面に固定してケーブルを支持する方法を説明する断面図である。
【図６】図１の配線・配管材支持具でケーブルを複数支持した状態を示す断面図である。
【発明を実施するための形態】
【００１３】
以下、本発明の実施形態を図に基づいて説明する。本実施形態では、配線・配管材支持具は、天井壁面に固定されて配線・配管材を支持するものを示す。また、支持される配線・配管材として、３心の偏平形状のケーブルを例示する。なお、以下においては、図３(b)における上下方向を実施品の上下方向として説明する。
【００１４】
図１乃至図４において、本実施形態の配線・配管材支持具（以下、単に「支持具」という。）は、構造物への固定部２０と、配線・配管材であるケーブル６０を下方から支持する支持腕３０と、からなる本体１０と、本体１０から延設され、支持腕３０に載置されたケーブル６０を支持腕３０とともに取り囲む帯板状のバンド部５０と、を有している。本体１０には、バンド部５０が挿通される挿通空間３９及びバンド部５０がその基端５１側に抜け出すのを規制する係止爪４２と、バンド部５０の先端側が掛け止めされる被掛止部４５と、が設けられている。バンド部５０の先端側には、本体１０の被掛止部４５に掛け止め可能な掛止部５４が設けられている。支持具１は、合成樹脂により一体に形成されている。以下、各構成部材について詳細に説明する。
【００１５】
本体１０の固定部２０は、平板状の固定板部２１と、固定板部２１の一部を除く周縁から下方に垂設された周壁２２からなる。固定板部２１の下面側には所定高さの鋲打ち用の内側円筒２３が立設され、内側円筒２３の外周側にはこれより大径で高さの低い外側円筒２４が内側円筒２３から離間して同心に立設されている。内側円筒２３は外周面に５枚のブレードが付設されている。そして、固定板部２１には鋲８０あるいはビスが貫通する、内側円筒２３と同心の固定孔２５が設けられていて、支持具１を天井壁面７０にビスあるいは鋲８０で固定できるようになっている。
【００１６】
本体１０の支持腕３０は、固定部２０の周壁２２の下端部から水平方向に一体に延設され、更にその先端側において垂直上方、更には斜め上方に山形に立ち上がって延びている。支持腕３０の水平部３１の上面側にはケーブル６０が載置される載置面３２が形成されている。支持腕３０の垂直部３３と斜め上方に立ち上がった山形部３４は、請求項の立ち壁を構成しており、立ち壁３５は、山形部３４の頂部３４ａと天井壁面７０との間にケーブル６０が通過可能な隙間３６が形成されるようになっている。立ち壁３５の垂直部３３は、図４に示すように、その上端部３３ａを基部としてこれを軸に水平方向すなわち図４の左右方向に弾性的に撓み変形可能な短冊板状の弾性係止片３７が一体に設けられている。弾性係止片３７は、垂直壁面３８から間隔をおいて平行に垂設されており、幅方向両側に垂直方向のスリット３７ａが形成されることによって、垂直部３３の上端部３３ａを軸に撓み可能となっている。
【００１７】
支持腕３０の先端側である、水平部３１と立ち壁３５の弾性係止片３７との間には、バンド部５０が挿通される挿通空間３９が形成されている。挿通空間３９は、バンド部５０をその幅方向から受け入れ可能とすべく側方すなわち図３(b)、図４の手前側に臨む開口４０が形成されている。挿通空間３９において、開口４０とは反対側の空間は垂直の壁面からなる閉塞板部４１で閉塞されている。
【００１８】
立ち壁３５の基端側３５ａすなわち下端側において弾性係止片３７の挿通空間３９側の面には挿通空間３９内に突出してバンド部５０がその基端５１側に抜け出すのを規制する係止爪４２が設けられている。係止爪４２は下面が水平面を成し、弾性係止片３７の幅方向全体に水平方向に形成されている。一方、支持腕３０の水平部３１の先端部は、弾性係止片３７の平面と平行して縦壁４３が設けられており、挿通空間３９の幅を狭くして、挿通空間３９内を挿通するバンド部５０の後述する被係止部５３が確実に弾性係止片３７の係止爪４２と当接し係止するようになっている。
【００１９】
支持腕３０の水平部３１には、反載置面方向すなわち図３(b)、図４の下方に向けて補強壁部４４が立設されている。補強壁部４４は、バンド部５０の幅より大きい間隔をあけて左右に一対設けられている。各補強壁部４４には、バンド部５０の後述する掛止部５４の一対の棒状部５４ａ，５４ａがそれぞれ嵌着可能な被掛止部４５が設けられている。この被掛止部４５は、各補強壁部４４の先端縁すなわち図３(b)、図４においては下端縁を半円より僅かに大きい円弧状の窪みに凹設することにより形成されている。被掛止部４５は、バンド部５０における挿通空間３９から突出した先端側の長さすなわち余長５５の長さに応じてバンド部５０の掛止部５４の掛け止め位置を変更できるよう複数設けられており、本実施形態では左右一対の補強壁部４４，４４の長さ方向の同じ位置に等間隔で４個ずつ設けられている。
【００２０】
支持腕３０の載置面３２においてバンド部５０の基端５１の近傍には、支持腕３０から上方に小突起４６が立設されている。この小突起４６は、バンド部５０を結束時に引き締めた際に、バンド部５０が極度に折れ曲がるのを防止するものであるが、必ずしも要するものではない。
【００２１】
次に、バンド部５０は、支持腕３０に載置されたケーブル６０を支持腕３０とともに取り囲むものであり、一定幅の帯板状に形成され、本体１０の固定部２０側を基端５１として延設されている。バンド部５０は、自然状態で、図５(a)に示すように、天井壁面７０に沿うとともに、バンド部５０の基端５１から支持腕３０の立ち壁３５の先端を越える長さに形成され、少なくとも先端の掛止部５４が支持腕３０の被掛止部４５に掛け止め可能な長さに形成されている。
【００２２】
バンド部５０において支持腕３０の載置面３２と対面する側とは反対側の面である外面５２には、立ち壁３５の基端側３５ａに設けられた係止爪４２と係止する被係止部５３が形成されている。一方、バンド部５０において外面５２の反対側面である、支持腕３０の載置面３２と対面する側の面は平滑面で形成されている。各被係止部５３は、図４に示すように、後端側が外面５２と直交する垂直面を成す断面形状一定の小突条でバンド部５０の幅方向全体に形成されており、バンド部５０の長手方向に一定間隔で多数形成されている。各被係止部５３は、支持腕３０の係止爪４２と係止したとき、後端面が係止爪４２の水平面と面当接し、バンド部５０が基端５１に抜け出すのが防止されている。
【００２３】
バンド部５０の先端にはその幅方向両側に突出した一対の棒状部５４ａ，５４ａからなる掛止部５４が設けられており、バンド部５０の先端はＴ字状を成している。掛止部５４は、断面形状一定の円形に形成され、支持腕３０の円弧状の被掛止部４５内に弾性的な圧入により嵌着され掛止される。これにより、バンド部５０の余長５５となる先端側は支持腕３０に掛け止めされる。
【００２４】
次に、このように構成された支持具１を使用してケーブル６０を支持し天井壁面７０に沿って配線する方法を図５に基づいて説明する。
まず、支持具１を天井壁面７０の所定位置にあてがった後、固定部２０の固定孔２５に鋲８０を打ち込みあるいはビス締めして、図５(a)に示すように、支持具１を天井壁面７０に固定する。図５は鋲８０を使用して支持具１を天井壁面７０に固定した場合を示す。この場合、鋲８０を固定部２０の内側円筒２３及び固定孔２５に配置してガス銃を使用して打ち付けると、図５に示すように、打撃圧で内側円筒２３は押し潰され、潰された樹脂は外側円筒２４内に流れる。ここで、内側円筒２３を形成したのは、打撃圧で固定孔２５の部分に亀裂が入ったり破断するのを防止するためである。なお、ガス銃による鋲８０打ちでなくビス締めする場合は、固定部２０には単に固定孔２５のみを設けてもよい。
【００２５】
支持具１を天井壁面７０に固定すると、図５(a)に示すように、支持腕３０の立ち壁３５の先端の山形部３４と天井壁面７０との間にはケーブル６０が通過可能な隙間３６が形成され、バンド部５０は、自然状態で天井壁面７０に沿って直線状に延び、先端は立ち壁３５の先端の山形部３４を越える。この後、ケーブル６０を立ち壁３５の山形部３４と天井壁面７０との隙間３６から水平方向に挿入し、支持腕３０の載置面３２上に載置する。
【００２６】
次に、バンド部５０をその基端５１を軸にして図５の手前側に引き出しつつ、長手方向中間部分を側方から挿通空間３９の側方の開口４０から挿通空間３９内に挿入する。このとき、挿通空間３９において開口４０とは反対側の空間は閉塞板部４１で閉塞され、バンド部５０の掛止部５４である一対の棒状部５４ａ，５４ａの一方は閉塞板部４１と干渉するため、バンド部５０は先端側から長手方向に挿通空間３９内を通過させることはできない。したがって、バンド部５０は、上述のように、長手方向中間部分を側方から挿通空間３９の開口４０から挿通空間３９内に挿入することになる。本実施形態では、このように、バンド部５０を側方から開口４０内に挿入して挿通空間３９を通過させるようにしたことにより後述の作用を奏する。なお、一旦バンド部５０の長手方向中間部分を挿通空間３９の側方の開口４０から挿通空間３９内に挿入した後は、バンド部５０の先端を下方に引張ることによりバンド部５０は挿通空間３９内を長手方向に移動させることができる。
【００２７】
これにより、バンド部５０は、支持腕３０とともにケーブル６０を包囲するように屈曲し、一方、バンド部５０における挿通空間３９を通過した余長５５は、図５(b)に示すように、垂直下方に垂れ下がる。そして、バンド部５０の被係止部５３はいずれかの位置で挿通空間３９内の係止爪４２と係止する。これによって、バンド部５０は、基端５１側に抜け出そうとするのが規制される。
【００２８】
なお、この点に関して更に述べれば、バンド部５０の被係止部５３は、支持腕３０の載置面３２と対面する側と反対側の面である外面５２側に形成されている。そして、挿通空間３９を通過したとき、バンド部５０は、ケーブル６０を包囲するように湾曲状に屈曲したことにより元の水平姿勢に戻ろうとする弾性復帰力が生じる。これによりバンド部５０の外面５２側に形成された被係止部５３は係止爪４２との当接面において強く係止爪４２に押し付けられるため、係止が緩むのが防止され、安定した係止状態を維持できる。
【００２９】
次に、挿通空間３９の下方に垂れ下がったバンド部５０の余長５５を支持腕３０の下方に向けて屈曲させて先端の掛止部５４を、図５(c)に示すように、支持腕３０の補強壁部４４の被掛止部４５のいずれかに強制的に押し付けて嵌着し掛け止めする。このとき、バンド部５０の余長５５は下方に湾曲状にたるませた状態に屈曲させて掛け止めるのではなく、図５(c)に示すように、支持腕３０の下部面に沿わせた状態で掛け止める。これにより、バンド部５０の余長５５の見栄えは向上する。図５は、１本のケーブル６０が結束される場合の支持具１を示しており、バンド部５０の掛止部５４は支持腕３０の左から２つ目の被掛止部４５に掛け止めされる。
【００３０】
なお、支持腕３０の載置面３２においてバンド部５０の基端５１の近傍には小突起４６が立設されているので、掛止部５４を被掛止部４５に掛け止めしてバンド部５０を引き締めた際に、バンド部５０が極度に折れ曲がるのが防止される。
【００３１】
このように一旦支持されたケーブル６０を支持具１から取り外すには、バンド部５０の掛止部５４を支持腕３０の被掛止部４５から抜き出し、立ち壁３５の弾性係止片３７の下端を指で垂直壁面３８側に押し付けてバンド部５０の被係止部５３と立ち壁３５の係止爪４２との係止を解除しつつ、バンド部５０の長手方向中間部分を挿通空間３９の側方の開口４０から手前側に引き出して結束を解除し、天井壁面７０と立ち壁３５との隙間３６を通してケーブル６０を取り出せばよい。
【００３２】
図６は、４本のケーブル６０が結束された状態を示す。この場合、バンド部５０の余長５５は図５の場合に比べて短かくなり、掛止部５４は支持腕３０の右から１つ目の被掛止部４５に掛け止めされ、バンド部５０の余長５５は同様に支持腕３０の下部面に沿わせた状態で掛け止めされる。
【００３３】
次に、本実施形態の支持具１の作用を説明する。
支持具１は、バンド部５０の先端の掛止部５４が支持腕３０の被掛止部４５に掛け止めされるので、ケーブル６０を結束後のバンド部５０の余長５５が垂直下方に垂れ下がるのが防止され、ケーブル６０の支持箇所における見栄えが向上する。
【００３４】
また、被掛止部４５は、支持腕３０における反載置面側に形成されているので、ケーブル６０の載置の邪魔にならない。
更に、被掛止部４５は、補強壁部４４の先端縁に形成されているから、支持腕３０が補強され、バンド部５０の掛止部５４は安定して被掛止部４５に掛け止めされる。
加えて、被掛止部４５は、複数設けられているので、掛止部５４をバンド部５０の余長５５に応じて選択して被掛止部４５に掛け止めすることができ、バンド部５０の余長５５を支持腕３０の下部面に沿わせた状態で掛け止めでき、見栄えが向上する。
【００３５】
そして、本体１０の挿通空間３９は、側方に開口４０が形成されているので、バンド部５０をその幅方向から受け入れることが可能である。これにより、バンド部５０をその途中で幅方向から本体１０の挿通空間３９内に挿通させることができるので、結束時の作業性が向上し、また、バンド部５０の掛止部５４は、バンド部５０の幅方向両側に突出した一対の棒状部５４ａ，５４ａで形成されてバンド部５０の先端がＴ字状を成しているので、バンド部５０を補強壁部４４間によじれることなく配置可能であるとともに、掛止部５４を被掛止部４５に整然と安定して掛け止めすることができる。
【００３６】
更に、バンド部５０は、本体１０の固定部２０側を基端５１として延設され、本体１０の挿通空間３９は、支持腕３０の先端側に設けられているので、バンド部５０が長くても支持腕３０を一定長さとすることができ、本体１０を小型化できる。また、支持具１を天井壁面７０に固定する場合に、固定部２０が邪魔にならずケーブル６０をバンド部５０の長手方向に挿入して支持腕３０上に配置収容し易い。すなわち、逆に、バンド部５０は、本体１０の支持腕３０の先端側を基端として固定部２０方向に延設され、本体１０の挿通空間３９は、固定部２０側に設けられているとすれば、成形においてバンド部５０が長いとそれに応じて支持腕３０も長くする必要があるため、本体１０は全体として大型のものとなる。また、支持具１を天井壁面７０に固定する場合に、固定部２０が邪魔になり、ケーブル６０を支持腕３０上に配置しにくい。但し、本発明を実施する場合には、このように構成するのを妨げるものでもない。
【００３７】
加えて、バンド部５０は、天井壁面７０に沿うとともに基端５１側から立ち壁３５の先端を越える長さに形成されているので、ケーブル６０を支持腕３０の立ち壁３５と天井壁面７０との隙間３６を通過させて支持腕３０上に載置し収容する際に、ケーブル６０が天井壁面７０に擦られて傷付くのが防止される。すなわち、ケーブル６０と天井壁面７０との間にはバンド部５０が介在するため、ケーブル６０が天井壁面７０に直接擦れるのが防止され、かつバンド部５０における支持腕３０の載置面３２と対向する側の面は平滑面で形成されているので、ケーブル６０を隙間３６から挿入し支持腕３０の載置面３２に載置する際にケーブル６０が傷付くのが防止される。また、ケーブル６０を結束した後においても、バンド部５０は平滑面側がケーブル６０の外面に圧接するので、ケーブル６０が傷付くのが防止される。
【００３８】
ところで、上記実施形態では、バンド部５０の掛止部５４は、バンド部５０の幅方向両側に突出した一対の棒状部５４ａ，５４ａで形成され、バンド部５０の先端はＴ字状を成し、支持腕３０の被掛止部４５は、補強壁部４４の下端縁に凹設形成されて、掛止部５４が被掛止部４５に弾性的に嵌着される構造になっているが、両者の掛止手段はこの形態に限られるものではなく、例えば、両者を互いに掛合する鈎状に形成したものとし、あるいは、被掛止部を掛止孔で形成し、掛止部をこの掛止孔に掛止する鈎フックで形成したものとしてもよい。
【００３９】
加えて、掛け止め手段としては、前述の掛止部５４と被掛止部４５との嵌着などの掛止手段の他、広義には、両面接着テープによる接着、あるいは磁石を利用した接着などの手段を採用してもよい。
【００４０】
また、上記実施形態では、支持腕３０には補強壁部４４が設けられているが、補強壁部４４は設けないものとしてもよい。
【００４１】
そして、上記実施形態の挿通空間３９は、側方に開口４０が形成され、バンド部５０が挿通空間３９の幅方向から受け入れ可能に形成されているが、本発明を実施する場合には、これに限られるものではなく、例えば、バンド部５０の掛止部を一対の棒状部５４ａ，５４ａでなく先端に小孔を有するフック状のものとし、支持腕３０の被掛止部は掛止部の小孔が掛け止めされる突起で形成するなどして、バンド部５０の掛止部は挿通空間３９をバンド部５０の長手方向に通過可能なものとしてもよい。
【００４２】
更に、上記実施形態の固定部２０は、鋲８０あるいはビスにより天井壁面７０に固定しているが、接着剤による接着などの手段により固定してもよい。
【００４３】
また、立ち壁３５の基端側３５ａにはバンド部５０が基端５１側に抜け出すのを規制する係止爪４２が設けられているが、係止爪４２は立ち壁３５の基端側３５ａと対向する水平部３１の先端の縦壁４３側に設けるのを妨げるものではない。
【００４４】
なお、上記実施形態では、バンド部５０は、自然状態で、天井壁面７０に沿って水平直線状に延びるものであって、バンド部５０と支持腕３０の立ち壁３５との間にはケーブル６０をそのまま通過させることができるものであるが、成形後の収縮などにより、僅かに湾曲状に屈曲して天井壁面７０から少し離間することもあり、その場合は、バンド部５０を支持腕３０の立ち壁３５との間を押し広げるように弾性変形により変位させてケーブル６０を通過させる。
【００４５】
更には、成形後の状態によっては、バンド部５０は、立ち壁３５の先端である山形部３４の頂部３４ａに弾性的に当接するまで湾曲することがあり、この場合は、バンド部５０と立ち壁３５との間は仮閉鎖され、この間にケーブル６０を通過させるときは、バンド部５０を弾性変形により更に大きく変位させてバンド部５０と立ち壁３５との間隔を押し広げることになる。
ここで、バンド部５０が立ち壁３５の先端に弾性的に当接するこの例、及び前述の、バンド部５０が僅かに湾曲状に屈曲して天井壁面７０から少し離間する例においても、バンド部５０は、自然状態で、天井壁面７０に沿っているといえる。
【００４６】
加えて、上記実施形態の支持具１は、ケーブル６０を天井壁面７０に沿って支持するものを示しているが、本発明は、吊りボルトなどの構造物に取り付ける場合にも同様に適用することができる。なお、支持具１を吊りボルトに固定する場合には、例えば、図示しないが、断面円弧状に湾曲し一部が開口した一対の挟持片を開口位置を相反させて基台の上下に間隔をあけて設け、吊りボルトに直交方向からあてがってから水平方向に回動させて一対の挟持片内に吊りボルトを圧入し弾性的に挟持させて吊りボルトに固定することができる。
また、支持される部材としては、ケーブル６０の他、各種の配線・配管材を支持させることができる。
【符号の説明】
【００４７】
１  支持具                          ４５  被掛止部
１０  本体                            ５０  バンド部
２０  固定部                          ５１  基端
３０  支持腕                          ５２  外面
３２  載置面                          ５３  被係止部
３５  立ち壁                          ５４  掛止部
３５ａ  基端側                        ５４ａ  棒状部
３９  挿通空間                        ６０  ケーブル（配線・配管材）
４０  開口                            ７０  天井壁面（構造物）
４２  係止爪                          ８０  鋲
４４  補強壁部
【図１】
2020101240.tif 000003
【図２】
2020101240.tif 000004
【図３】
2020101240.tif 000005
【図４】
2020101240.tif 000006
【図５】
2020101240.tif 000007
【図６】
2020101240.tif 000008